(57)【特許請求の範囲】
【請求項１】
収納具、特に鞄又は財布において、
少なくとも一つの外装面（１２，１４，１６）を備え、
該少なくとも一つの外装面（１２，１４，１６）は、前記外装面上に配され、前記外装面（１２）から延びる少なくとも一つの三次元の凸部（１０）を有し、
複数の三次元の凸部１０が、前記収納具の少なくとも二つの外装面（１２，１４，１６）上に配され、
前記外装面（１２，１４，１６）から延びる前記三次元の凸部（１０）は夫々、相互に重ねられ、連結された少なくとも二つの層（１，２，３，４，５）を有し、
前記三次元の凸部（１０）は夫々、リブ状であり、
リブ状の前記三次元の凸部（１０）は、互いに等間隔で、平行に隣り合うように配されていること
を特徴とする収納具。
【請求項２】
前記外装面（１２，１４，１６）から延びる前記凸部（１０）は、相互に重ねられ、連結された少なくとも二つの層（１，２，３，４，５）により形成されていること
を特徴とする請求項１に記載の収納具。
【請求項３】
前記少なくとも一つの凸部（１０）の、前記層（１，２，３，４，５）は印刷されていることを特徴とする請求項１又は請求項２に記載の収納具。
【請求項４】
前記少なくとも一つの凸部（１０）は、相互に重ねられ、連結され、好ましくは互いに重ねて印刷された四つ以上の層（１，２，３，４，５）を備えること
を特徴とする請求項１から請求項３までのいずれか一つに記載の収納具。
【請求項５】
前記層（１，２，３，４，５）は、シリコーン及び／又はセラミックペーストを含む材料により形成されていることを特徴とする請求項１から請求項４までのいずれか一つに記載の収納具。
【請求項６】
前記少なくとも一つの凸部（１０）における前記外装面（１２，１４，１６）に隣接する一の層は最下層（１）であり、
前記凸部（１０）における前記外装面（１２，１４，１６）から最も離れている他の層
は最上層（５）であり、
層（１，２，３，４，５）は、異なる幅を有し、前記最下層（１）は、前記最上層（５
）よりも広いこと
を特徴とする請求項１から請求項５までのいずれか一つに記載の収納具。
【請求項７】
互いに重ねられた複数の層（１，２，３，４，５）の幅（Ｂ１，Ｂ２，Ｂ３，Ｂ４，Ｂ５）は、前記最下層（１）から前記最上層（５）に向けて、好ましくは連続的に、減少していること
を特徴とする請求項６に記載の収納具。
【請求項８】
前記層（１，２，３，４，５）は、オフセット印刷法、スクリーン印刷法、又は３Ｄプリンティング法により印刷されていることを特徴とする請求項１から請求項７までのいずれか一つに記載の収納具。
【請求項９】
複数の凸部（１０）が、前記外装面（１２，１４，１６）上に配され、
好ましくは、前記外装面（１２，１４，１６）上に一様に分布させて配されていること
を特徴とする請求項１から請求項８までのいずれか一つに記載の収納具。
【請求項１０】
前記リブ状の凸部（１０）は、前記リブ状の凸部（１０）の長さ方向において異なる高さを有しており、
前記リブ状の凸部（１０）の中央部は、前記リブ状の凸部（１０）の端部よりも高いこと
を特徴とする請求項１から請求項８までのいずれか一つに記載の収納具。
【請求項１１】
前記リブ状の凸部（１０）の前記層夫々の厚さ（Ｄ１，Ｄ２，Ｄ３，Ｄ４，Ｄ５）は、前記リブ状の凸部（１０）の長さ方向において異なっていること
を特徴とする請求項１から請求項１０までのいずれか一つに記載の収納具。
【請求項１２】
前記凸部（１０）の前記層（１，２，３，４，５）夫々の色は異なっていること
を特徴とする請求項１から請求項１１までのいずれか一つに記載の収納具。
【請求項１３】
前記凸部（１０）上に、好ましくは収納具の前記外装面（１２，１４，１６）上にも配された付加的な外層（２０）を備えること
を特徴とする請求項１から請求項１１までのいずれか一つに記載の収納具。
【請求項１４】
前記付加的な外層（２０）は、
熱成形法により設けられ、前記外装面（１２，１４，１６）上に配された少なくとも一つの三次元の凸部（１０）に適合させた少なくとも一つの三次元の凸部（１１）を備えること
を特徴とする請求項１３に記載の収納具。
【請求項１５】
二つの主面及び四つの側面を備え、
少なくとも一の前記主面は、リブ状の凸部（１０）を有し、
該リブ状の凸部（１０）の長さ方向は、前記一の主面の長さ方向に平行に延びる
鞄であること
を特徴とする請求項１から請求項１４までのいずれか一つに記載の収納具。
【請求項１６】
収納具、特に鞄又は財布の少なくとも一つの外装面（１２，１４，１６）上に少なくとも一つの凸部（１０）を設ける方法であって、
−収納具の外壁の外装面に第１層を設ける、特に印刷するステップ、
−三次元の凸部を形成するように前記第１層に第２層を設ける、特に印刷するステップ、
−好ましくは、前記第２層上に更に層を設けるステップ
を有することを特徴とする方法。
【発明の詳細な説明】
【技術分野】
【０００１】
本発明は、請求項１の前提部に従って、収納具、特に鞄又は財布に関する。
【背景技術】
【０００２】
例えば、スーツケース又はバッグのような収納具は、外装面に三次元の凸部を備え得る。三次元の凸部は、リブ状に形成され、また、夫々が溝により形成され得る。プラスチック製のスーツケースの外装において、リブ状に形成された凸部又は夫々が溝により形成された凸部は、スーツケースの外装自体の製造過程の間にて成形される。
【先行技術文献】
【特許文献】
【０００３】
【特許文献１】米国特許第３１２８８５５号明細書
【発明の概要】
【発明が解決しようとする課題】
【０００４】
しかしながら、収納具の外装面に配されたそのような三次元の凸部は、特に単純かつ安価な方法で製造され得ることが要望されている。
【０００５】
本発明の目的は、最も単純で安価な方法で製造され得る三次元の凸部を有する少なくとも一つの外装面を備える収納具を提供することにある。
【課題を解決するための手段】
【０００６】
上記目的は、請求項１で定義された特徴により達成される。本発明は、外装面から延びる少なくとも一つの三次元の凸部が、相互に重ねられ、連結された少なくとも二つの層を備えることを有利に提供する。
【０００７】
このことは、三次元の凸部が外装面の製造から独立して製造され得るという利点を有する。これにより、三次元の凸部を単純で安価な方法で製造することができ、一方で、三次元の凸部の形状は可変である。
【０００８】
少なくとも一つの凸部は、リブ状であり得る。
【０００９】
外装面から延びる凸部は、相互に重ねられ、連結された少なくとも二つの層により形成され得る。
【００１０】
少なくとも一つの凸部の層は印刷され得る。これにより、異なる形状の凸部が、非常に迅速かつ単純な方法で製造され得る。
【００１１】
少なくとも一つの凸部は、互いに重ねられ、連結され、好ましくは互いに重ねて印刷された四つ以上の層を備え得る。
【００１２】
層は、シリコーン及び／又はセラミックペーストを含む材料により形成され得る。
【００１３】
層夫々は、異なる幅を有し得る。
【００１４】
少なくとも一つの凸部における外装面に接する層は最下層であり得る。また凸部における外装面から最も離れている層は最上層であり得る。各層は異なる幅を有しており、最下層は最上層よりも広い。
【００１５】
互いに重ねられた複数の層の幅は、最下層から最上層に向けて、好ましくは連続的に減少する。
【００１６】
層は、オフセット印刷法、スクリーン印刷法、又は、３Ｄプリンティング法によって印刷され得る。
【００１７】
複数の前記凸部が、外装面上に配され、好ましくは、外装面上に一様に分布させて配されていることが提供され得る。
【００１８】
リブ状の凸部は、リブ状の凸部の長さ方向において、異なる高さ及び場所により異なる高さを有することが可能であり、リブ状の凸部の中央部は、リブ状の凸部の端部よりも高い。
【００１９】
リブ状の凸部の層の厚さは、リブ状の凸部の長さ方向において異なり得る。これは、個々の層夫々は、異なる色を有し得ることを意味する。
【００２０】
凸部の個々の層の色は異なり得る。
【００２１】
収納具の凸部上に、好ましくは収納具の外装面上にも配された付加的な外層を提供することが可能である。
【００２２】
前記付加的な外層は、熱成形法により設けられ、外装面上に配された少なくとも一つの三次元の凸部に適合させた少なくとも一つの三次元の凸部を備え得る。付加的な外層は、プラスチック、皮革、又は織物材料により形成され得る。
【００２３】
収納具は、二つの主面及び四つの側面を備える鞄であり得る。少なくとも一の主面はリブ状の凸部を有し、リブ状の凸部の長さ方向は、前記一の主面の長さ方向と平行に延びる。特に、収納具はスーツケースであり得る。
【００２４】
収納具、特に鞄又は財布の少なくとも一つの外装面上に少なくとも一つの凸部を設ける方法であって、
−収納具の外壁の外装面に第１層を設ける、特に印刷するステップ、
−三次元の凸部を形成するように第１層に第２層を設ける、特に印刷するステップ、
−好ましくは、第２層上に更に層を設けるステップ
を有する方法が提供され得る。
本発明の十分かつ実施可能な開示は、本発明の最良の態様を含み、当業者が発明を実施することを可能にし、添付図面の参照を含めて、以下の明細書の記載においてより詳細に説明される。
【図面の簡単な説明】
【００２５】
【図１】外装面上に三次元の凸部を備え、鞄として形成された収納具を示す図である。
【図２】バッグとして形成された収納具を示す図である。
【図３】図２の収納具の側面図である。
【図４】収納具の外装面における三次元の凸部を示す図である。
【図５】図４において示す外装面上の凸部を示す図である。
【図６】三次元の凸部の他の実施形態を示す図である。
【図７】三次元の凸部の更なる他の実施形態を示す図である。
【図８】付加的な外層が設けられた三次元の凸部を示す図である。
【図９】外層上に三次元の凸部を設ける熱成形システムを示す図である。
【発明を実施するための形態】
【００２６】
図１は、スーツケース６として形成された収納具を示す。スーツケース６は、鞄である。スーツケース６は、三次元の凸部１０が配された少なくとも一つの外装面１２を備え、凸部１０は、外装面１２に対して外側に延びる。三次元の凸部１０は、リブ状である。三次元の凸部１０の設計は、図４〜図８により詳細に示されている。スーツケースは、アルミニウム製、又は例えばポリエチレンなどのプラスチック製のハードスーツケースであり得る。
【００２７】
図２は、バッグ８として形成された収納具を示す。バッグ８は、バッグ８の前側及び後側夫々を形成する少なくとも一の外装面１４及び他の外装面１６を備える。外装面１４，１６の内、少なくとも一方には、突出する三次元の凸部１０が配されている。三次元の凸部１０は、リブ状である。一の外装面１４及び他の外装面１６において、複数の三次元の凸部１０が配されており、凸部１０は、互いに平行に隣り合って延びている。図３においては、バッグ８の側面図が示されている。
【００２８】
図１、図２及び図３に示す収納具、即ちスーツケース６及びバッグ８が、外装面１２，１４の一つのみに三次元の凸部１０を備えることが提供され得る。あるいは、スーツケース６及びバッグ８は、二以上の外装面上にもまた、三次元の凸部１０を備え得る。
【００２９】
好ましくは、図１のスーツケース６は、全ての外装面上に三次元の凸部を備える。
【００３０】
好ましくは、外装面１２，１４，１６には夫々、複数の三次元の凸部１０が設けられ、これらの三次元の凸部１０は、好ましくはリブ状であり、リブ状の三次元の凸部１０は、好ましくは、互いに等間隔で、平行に隣り合うように配されている。三次元の凸部１０は財布の外装面にもまた配され得る。
【００３１】
図１〜図３の収納具における三次元の凸部１０の設計は、図４〜図８においてより詳細に示されている。
【００３２】
三次元の凸部１０は、互いに重ねられ、連結された少なくとも二つの層を有する。図１〜図３においては、三次元の凸部の単なる模式的な輪郭を示したに過ぎない。したがって、図１〜図３においては、個々の層を見ることはできない。
【００３３】
図４は、三次元の凸部１０を示している。「三次元」という用語は、凸部が、幅Ｂ、高さＨ及び長さＬを有していることを意味する。三次元の凸部１０は、スーツケース６の外装面１２上及びバッグ８の外装面１４，１６上の両方に配されている。三次元の凸部１０は、互いに重ねられ、連結された５つの層１〜５を備える。互いに重ねられ、連結された層１〜５は、例えば、印刷法により、外装面１２，１４，１６上に配され得る。このため、第１層１は、外装面１２，１４，１６上に印刷される。第１層は、最下層を形成し、外装面１２，１４，１６に隣接する層である。続いて、第２層２は、第１層１上に印刷される。次に、第２層２上に第３層３が印刷される。第３層３上に第４層４が印刷される。更に、第４層４上に第５層５が印刷される。図示された実施形態においては、第５層５は、最上層であり、外装面１２，１４，１６から最も遠く配された層である。三次元の凸部はまた、異なる数の層を備え得る。
【００３４】
層は、外装面１２，１４，１６上に印刷され、三次元の凸部１０は、複数の層１〜５により形成されているので、三次元の凸部は、任意の所望の形状を取り得る。これにより、製造過程において、三次元の凸部１０の形状及び設計は、所望のように変化され、適合され得る。
【００３５】
好ましくは、三次元の凸部１０は、リブ状の凸部として形成され、これらリブ状の凸部１０は、円錐状の先細り形状である。これは、図４に示すように、互いに重ねられ、連結された層１〜５が夫々異なる幅を有していることにより実現される。最下層の層１は、最も大きい幅Ｂ１を有する。最上層である層５は、最も小さい幅Ｂ５を有する。中間の層２−４の幅Ｂ２−Ｂ４は夫々、幅Ｂ１及び幅Ｂ５の間であり、三次元の凸部１０の幅が高さの増加に伴って均一に減少するように、各層に沿って減少している。
【００３６】
更に、異なる層１−５は、異なる色を有し得る。色の補助により、三次元の凸部の設計は、相当に影響される。例えば、暗い色を用いることにより、影を表すことができ、三次元の凸部１０の輪郭が特に強調され得る。例えば、最下層の層１は、最も暗い層を有し得る。更に、三次元の凸部１０は、収納具の外装面１２，１４，１６と異なる色を取り得る。
【００３７】
好ましくは、層は印刷されているので、色もまた都合よく変化させることができ、異なる配色の三次元の凸部を備える収納具が、単純な方法で製造され得る。
【００３８】
図５においては、図４の三次元の凸部の側面図が示されている。図５から理解できるように、層１〜５の長さＬ１、Ｌ２、Ｌ３、Ｌ４、Ｌ５は等しい。更に、図５及び図４に示す層１〜５は等しい厚さＤ１、Ｄ２、Ｄ３、Ｄ４、Ｄ５を有する。
【００３９】
しかしながら、三次元の凸部の厚さＤ１〜Ｄ５及び長さＬ１〜Ｌ５はまた、異なり得る。これにより、層１〜５は夫々、異なる長さＬ１〜Ｌ５及び／又は異なる厚さＤ１〜Ｄ５を有し得る。この形式では、三次元の凸部１０の設計において、わずかな変形が実施され得る。
【００４０】
図６において、実施形態は、層１〜５夫々の厚さＤ１〜Ｄ５が、長さＬ１からＬ５に沿って異なっていることが示されている。延びるリブ状の三次元の凸部の中間部において、厚さＤ１〜Ｄ５は、端部よりも、かなり厚い。この形式では、三次元の凸部は、端部に向けて徐々に薄くなっている。
【００４１】
あるいは、層１〜５は夫々、異なる長さＬ１〜Ｌ５を取り得る。最下層の層１が、最も長い長さＬ１を有し、最上層５が最も短い長さＬ５を有する実施の形態が図７に示されている。中間の層２〜４は、これに応じて長さＬ１及びＬ５の間の長さＬ２〜Ｌ４を有する。
【００４２】
図７に示す三次元の凸部１０もまた、端部に向けて徐々に薄くなっている。
【００４３】
図８は、更なる実施形態を示し、付加的な外層２０が三次元の凸部１０上及び外装面１２，１４，１６上に配されている。外層２０は、三次元の凸部１０に対応する三次元の凸部１１を備える。付加的な外層２０は、三次元の凸部１０上における三次元の凸部１１とともに配されている。付加的な外層２０は、好ましくは、外装面１２、１４、１６上及び／又は三次元の凸部１０上に接着層により留められている。
【００４４】
付加的な外層２０の三次元の凸部１１は、外装面１２，１４，１６上及び三次元の凸部１０上に設ける前に、既に付加的な外層２０において形成され得る。これは、例えば、熱成形法によって行われ得る。熱成形法においては、図９に示すように、帯状層２２が、巻いた状態から戻され、加熱炉２４により加熱される。熱成形装置２６では、その形状（この場合においては、三次元の凸部１１）に前記帯状層２２が成形される。前記熱成形装置２６に続く打ち抜き装置２８において、帯状層２２は、この場合、付加的な外層２０を形成し、外形寸法に関して外装面１２，１４，１６に対応する個々の要素に分割される。
【００４５】
あるいは、熱成形方法はまた、プレート状物を使用して行われ得る。この場合、既に特定の大きさを有するプレート状物が夫々加熱され、成形される。
【００４６】
前記付加的な外層２０により、外装面及び／又は三次元の凸部１０は、高品質なコーティングが施されて提供され得る。
【００４７】
本発明は、具体的に例示された実施形態を参照して説明され、例示されているが、これは、本発明がこれらの例示された実施形態に限定されることを意図していない。当業者は、次に示される特許請求の範囲によって定義された発明の真の範囲から逸脱せずに変形例及び変更態様が実施され得ることを理解する。それゆえ、そのような変形例及び変更態様は全て、添付された特許請求の範囲の発明及びその均等物の範囲に属するように、本発明に含まれることが意図される。
【図１】
0006453846.tif 000002
【図２】
0006453846.tif 000003
【図３】
0006453846.tif 000004
【図４】
0006453846.tif 000005
【図５】
0006453846.tif 000006
【図６】
0006453846.tif 000007
【図７】
0006453846.tif 000008
【図８】
0006453846.tif 000009
【図９】
0006453846.tif 000010